(57)【要約】  例示的な光配線盤は、複数のシャーシを挿入可能な複数の位置を定義するフレーム構造物と、フレーム構造物に取り付けられたフレームコントローラ装置とを含む。フレーム構造物は、フレームコントローラと、フレームコントローラに通信可能に接続されたスイッチとを含む。スイッチは複数のポートを含む。フレーム構造物は複数のケーブルを含む。各ケーブルは、スイッチのポートの各１つに取り付けられ、光配線盤における複数の位置のうちの予め決められた１つに挿入されたシャーシに各ケーブルを取り付けることができるように、光配線盤まで引き回されて取り付けられる。フレームコントローラは、フレームコントローラに通信可能に接続される管理エンティティに、ポートマッピング情報を伝えるように構成され、これにより、光配線盤に挿入されたシャーシを位置情報に関連付ける際に管理エンティティにより使用させる。
2016515314.tif 000002
【特許請求の範囲】
【請求項１】
システムは、
管理エンティティと、
複数の位置において複数の通信サブアセンブリを受けるように構成された通信アセンブリとを備え、
上記通信アセンブリは、
コントローラと、
上記コントローラに通信可能に接続され、複数のポートを含むスイッチとを備え、
上記システムは、複数のケーブルを備え、各ケーブルは、上記スイッチのポートの各１つに取り付けられ、上記通信アセンブリにおける複数の位置のうちの予め決められた１つに挿入された通信サブアセンブリに各ケーブルを取り付けることができるように、上記通信アセンブリまで引き回されて取り付けられ、
上記コントローラは上記管理エンティティにポートマッピング情報を伝えるように構成され、
上記管理エンティティは、上記ポートマッピング情報を使用して、上記通信アセンブリに挿入された通信サブアセンブリを位置情報に関連付けるように構成されるシステム。
【請求項２】
上記通信アセンブリは光配線盤を備える請求項１記載のシステム。
【請求項３】
上記サブアセンブリは、複数の光モジュールを収容するように構成されたシャーシを備え、
各モジュールは、少なくとも１つのアダプタパックを保持するように構成された光トレーを備え、
各アダプタパックは複数の光アダプタを備える請求項１記載のシステム。
【請求項４】
上記通信アセンブリの第１の位置へ通信サブアセンブリが挿入され、かつ、上記第１の位置に関連付けられた予め決められたケーブルがシャーシに接続されたとき、上記シャーシに含まれたコントローラは、上記スイッチを介して上記管理エンティティに通信可能に接続される請求項１記載のシステム。
【請求項５】
上記管理エンティティは、上記通信アセンブリに挿入された上記通信サブアセンブリに自動的に問い合わせるように構成される請求項４記載のシステム。
【請求項６】
上記管理エンティティは、上記通信アセンブリに関連付けられた位置情報を受信するように構成され、
上記管理エンティティは、上記通信アセンブリに関連付けられた位置情報の少なくとも一部に対する、上記通信アセンブリに挿入された上記通信サブアセンブリの関連付けを、上記ポートマッピング情報を用いて行うように構成される請求項１記載のシステム。
【請求項７】
上記スイッチは、上記通信アセンブリに挿入された各通信サブアセンブリに電力を供給するように構成される請求項１記載のシステム。
【請求項８】
上記スイッチはイーサネット（登録商標）スイッチを備える請求項１記載のシステム。
【請求項９】
上記ポートマッピング情報は、上記通信アセンブリに挿入された通信サブアセンブリに関連付けられたメディアアクセス制御（ＭＡＣ）アドレスを、上記スイッチのポートにマッピングするための情報を含む請求項１記載のシステム。
【請求項１０】
光配線盤は、
複数のシャーシを挿入可能な複数の位置を定義するフレーム構造物と、
上記フレーム構造物に取り付けられたフレームコントローラ装置とを備え、
上記フレーム構造物は、
フレームコントローラと、
上記フレームコントローラに通信可能に接続されたスイッチとを備え、上記スイッチは複数のポートを含み、
上記光配線盤は、複数のケーブルを備え、各ケーブルは、上記スイッチのポートの各１つに取り付けられ、上記光配線盤における複数の位置のうちの予め決められた１つに挿入されたシャーシに各ケーブルを取り付けることができるように、上記光配線盤まで引き回されて取り付けられ、
上記フレームコントローラは、上記フレームコントローラに通信可能に接続される管理エンティティに、ポートマッピング情報を伝えるように構成され、これにより、上記光配線盤に挿入されたシャーシを位置情報に関連付ける際に上記管理エンティティにより使用させる光配線盤。
【請求項１１】
各シャーシは、複数の光モジュールを収容するように構成され、
各モジュールは、少なくとも１つのアダプタパックを保持するように構成された光トレーを備え、
各アダプタパックは複数の光アダプタを備える請求項１０記載の光配線盤。
【請求項１２】
上記光配線盤の第１の位置へシャーシが挿入され、かつ、上記第１の位置に関連付けられた予め決められたケーブルが上記シャーシに接続されたとき、上記シャーシに含まれたコントローラは、上記スイッチを介して上記管理エンティティに通信可能に接続される請求項１０記載の光配線盤。
【請求項１３】
上記管理エンティティは、上記光配線盤に挿入された通信シャーシに自動的に問い合わせるように構成される請求項１２記載の光配線盤。
【請求項１４】
上記スイッチは、上記光配線盤に挿入された各シャーシに電力を供給するように構成される請求項１０記載の光配線盤。
【請求項１５】
上記スイッチは、パワー・オーバー・イーサネット（ＰＯＥ）を用いて、上記光配線盤に挿入された各シャーシに電力を供給するように構成される請求項１４記載の光配線盤。
【請求項１６】
上記ポートマッピング情報は、上記光配線盤に挿入されたシャーシに関連付けられたメディアアクセス制御（ＭＡＣ）アドレスを、上記スイッチのポートにマッピングするための情報を含む請求項１０記載の光配線盤。
【請求項１７】
上記スイッチはイーサネットスイッチを備える請求項１０記載の光配線盤。
【請求項１８】
光配線盤におけるフレームコントローラをネットワークを介して管理エンティティへ通信可能に接続することを含む方法であって、
上記光配線盤は、
複数のシャーシを挿入可能な複数の位置と、
フレームコントローラ装置とを備え、
上記フレームコントローラ装置は、
フレームコントローラと、
上記フレームコントローラに通信可能に接続されたスイッチとを備え、上記スイッチは複数のポートを含み、
上記光配線盤は、複数のケーブルを備え、各ケーブルは、上記スイッチのポートの各１つに取り付けられ、上記光配線盤における複数の位置のうちの予め決められた１つに挿入されたシャーシに各ケーブルを取り付けることができるように、上記光配線盤まで引き回されて取り付けられ、
上記方法は、上記光配線盤の位置情報を上記管理エンティティに供給することを含み、
上記方法は、上記光配線盤においてシャーシ位置のうちの１つにシャーシが設置されるとき、
当該シャーシの管理ネットワークインターフェースを、当該シャーシ位置に関連付けられたスイッチの予め決められたポートに接続することと、
上記シャーシの識別情報を管理エンティティへ自動的に供給することと、
ＭＡＣアドレスからポートへのマッピング情報を、上記フレームコントローラから上記管理エンティティに自動的に供給することと、
上記光配線盤におけるシャーシ位置へ新たに挿入されたシャーシを、位置情報に自動的に関連付けることとを含む方法。
【請求項１９】
上記光配線盤の識別情報を上記管理エンティティへ自動的に供給することをさらに含む請求項１８記載の方法。
【請求項２０】
上記光配線盤の位置情報を上記管理エンティティへ供給することは、上記光配線盤の位置情報を上記管理エンティティへ手動で供給することを含む請求項１８記載の方法。
【発明の詳細な説明】
【技術分野】
【０００１】
本発明は、通信アセンブリ内に収容された通信サブアセンブリを位置情報に関連付けるためのシステム及び方法に関する。
【背景技術】
【０００２】
関連出願への相互参照
本願は、２０１３年２月５日に出願された米国仮特許出願シリアル番号第６１／７６０，８１６号の利益を主張し、これは参照によってここに組み込まれる。
【０００３】
電気通信ネットワークは、典型的には、様々な機器間における多数の論理通信リンクを含む。しばしば、複数の物理的通信メディアを用いて単一の論理通信リンクが実装される。例えば、コンピュータと、ハブ又はルータのような相互接続装置との間の論理通信リンクは、以下のように実装可能である。第１のケーブルは、壁にマウントされたジャックにコンピュータを接続する。第２のケーブルは、壁にマウントされたジャックをパッチパネルのポートに接続し、第３のケーブルは、相互接続装置をパッチパネルの他のポートに接続する。「パッチコード又はケーブル」は両者をともにクロス接続する。言いかえれば、単一の論理通信リンクは、しばしば、複数セグメントの物理通信メディアを用いて実装される。
【０００４】
パッチパネルと、通信ネットワークにおいて接続を確立するために使用される他のタイプの機器とにおいて確立される接続を追跡するために、さまざまなタイプの物理層管理（physical layer management：ＰＬＭ）システムが使用可能である。概して、そのようなＰＬＭシステムは、そのような機器の各ポートに何が接続されているのかを追跡し、そのような機器を用いて確立される接続を追跡し、そのような機器において（例えば、パッチパネル又はそのポートに関連づけられたＬＥＤを点灯させることにより）視覚的な表示を技術者へ提供するための機能を含む。
【０００５】
例示的な１つのタイプのＰＬＭシステムは、電気的消去書込み可能型読み出し専用メモリ（Electrically Erasable Programmable Read-Only Memory：ＥＥＰＲＯＭ）を利用するか、又は、ケーブル、ファイバ、もしくは他の通信メディアのセグメント上のコネクタに一体化されるか、そのようなコネクタに取り付けられている他の記憶装置を利用する。記憶装置は、コネクタ又はケーブルに関する情報を、他の情報とともに格納するために使用される。関連付けられたコネクタが挿入されるポート（あるいは他のコネクタ）は、コネクタがそのポートに挿入されるとき、ＥＥＰＲＯＭ又は他の記憶装置に格納された情報を読み出すように構成される。そのような技術の一例は、ＴＥコネクティビィティ（TE Connectivity）から市販で入手可能であるＱＵＡＲＥＯファミリーの製品を含む。
【０００６】
他のタイプのＰＬＭシステムは、いわゆる「ナインス・ワイヤ（ninth wire）」技術を利用する。ナインス・ワイヤ技術は、ケーブルの各端がどのポートへ挿入されるのかを決定するために使用される余分な導体又は信号経路（ここでは、「ナインス・ワイヤ」導体又は信号経路ともいう）を含む特別なケーブルを利用する。ナインス・ワイヤ技術は、ツイストペア銅ケーブル及び光ケーブル（後者の場合では、ナインス・ワイヤとして働く１つ以上の銅線を含むハイブリッド光ケーブルを使用する）のような、さまざまなタイプのケーブルで使用可能である。ナインス・ワイヤ技術の一例は、ＴＥコネクティビィティから市販で入手可能であるＡＭＰＴＲＡＣファミリーの製品を含む。
【０００７】
他のタイプのＰＬＭシステムは、無線周波数識別（radio frequency identification：ＲＦＩＤ）タグ及び読み取り装置を利用する。このタイプのＲＦＩＤのＰＬＭシステムでは、ＲＦＩＤタグは、ケーブル、ファイバ、もしくは他の通信メディアのセグメント上のコネクタに取り付けられているか、そのようなコネクタに一体化されている。ＲＦＩＤタグは、通信メディアのコネクタ又はセグメントに関する情報を、他の情報とともに格納するために使用される。ＲＦＩＤ読み取り装置を用いて、関連付けられたコネクタが対応するジャック又は他のポートへ挿入された後で、ＲＦＩＤタグは読み出し可能になる。
【０００８】
ＰＬＭシステムは、典型的には、取り込んだ情報を集めて１つ以上のデータベースにそれを格納する管理ソフトウェアを含む。そのような管理ソフトウェアの一例は、ＴＥコネクティビィティから市販で入手可能であるインフラストラクチャ構成マネージャ（Infrastructure Configuration Manager：ＩＣＭ）ソフトウェアである。
【０００９】
接続に関する情報と、接続を確立するために使用されるケーブルに関する情報とに加えて、これらのデータベースは、典型的には、接続を確立するために使用される他の機器に関する情報も格納する。そのような機器の例は、パッチパネルと、配線盤と、スイッチ、ルータ、及びゲートウェイのような動的なネットワーク装置とを含む。そのような機器に関するデータベースに格納される情報の例は、機器の構成及びモデルと、それがネットワークのどこに設置されるかということとに関する情報を含む。
【先行技術文献】
【特許文献】
【００１０】
【特許文献１】米国仮特許出願シリアル番号第６１／７６１０４８号明細書
【特許文献２】米国仮特許出願シリアル番号第６１／７６１０３４号明細書
【特許文献３】米国仮特許出願シリアル番号第６１／７６１０４２号明細書
【特許文献４】米国仮特許出願シリアル番号第６１／７６１００９号明細書
【特許文献５】米国仮特許出願シリアル番号第６１／１５２６２４号明細書
【特許文献６】米国仮特許出願シリアル番号第１２／７０５４９７号明細書
【発明の概要】
【発明が解決しようとする課題】
【００１１】
典型的には、そのような機器がネットワークのどこに設置されるかに関する情報は、手動で入力されなければならない。これは、一般に、ＰＬＭ管理ソフトウェアによって自動的に発見されてその識別情報（例えば、シリアル番号及び構成及びモデル）について問い合わせを受けることが可能である「インテリジェント」機器の場合にもあてはまる。
【００１２】
例えば、１つの一般的な使用法のシナリオにおいて、企業の機器室又はデータセンターに、又は電気通信サービスプロバイダの中央局に、フレームが設置される。フレームは、ケーブル間の接続を確立するために使用される複数のサブアセンブリを収容するように設計されている。そのようなフレームの一例は、複数のシャーシを挿入することができる光配線盤（optical distribution frame：ＯＤＦ）である。この例において、各シャーシは、シャーシの内外にスライドする１つ以上のトレー上で複数のアダプタパックを保持するように設計されている。各アダプタパックは複数の光アダプタを備え、光アダプタのそれぞれは、光コネクタ（ＬＣ又はＳＣコネクタなど）で終端された光ケーブルに、対応する光コネクタで終端された他の光ケーブルを光学的に接続するように構成されている。
【００１３】
上で注意したように、フレームがＰＬＭ管理ソフトウェアによって発見されてそのフレームに関連付けられた識別情報（例えば、シリアル又は他の識別番号及び構成及びモデル）について問い合わせを受けることを可能にする、ある種のＰＬＭインテリジェント機能をフレームが含んでいる場合であっても、そのフレームの位置情報は、典型的には、（例えば、ウェブインターフェース又はモバイルアプリケーションを用いて）手動でＰＬＭ管理システムに入力されなければならない。これは、フレームが、典型的には、そのフレームが位置している場所を認識していないからである。ＰＬＭ管理システムは、次に、手動で入力された位置情報に、ＰＬＭ管理ソフトウェアが自動的に発見できた識別情報を関連付けることができる。
【００１４】
さらに、フレームにサブアセンブリ（例えば、上述のタイプの光シャーシ）が設置される場合は常に、そのサブアセンブリの位置情報はＰＬＭ管理システムに手動で入力されなければならない。各サブアセンブリの位置情報は、そのサブアセンブリがどこにあるか（例えば、物理的位置、及び／又は、サブアセンブリはどのフレームへ挿入されたのか）を含み、また、そのサブアセンブリがフレーム内のどのスロット又は位置へ挿入されたのかを含んでいる。
【００１５】
サブアセンブリがＰＬＭ管理ソフトウェアによって発見されてその識別情報について問い合わせを受けることを可能にするＰＬＭインテリジェント機能をサブアセンブリが含んでいても、そのような各サブアセンブリの位置情報は、典型的には、手動で入力されなければならない。これは、サブアセンブリが、典型的には、そのサブアセンブリが位置している場所を認識していないからである。サブアセンブリの位置情報を手動で入力することの必要性は、サブアセンブリの設置に関連付けられたワークフローへ追加の手動ステップを追加し、このことは、ワークフローを完了するのに必要な時間を増大し、また、不正確なデータが手動で入力される可能性をもたらす。さらに、フレームが最初に配備されるとき、そのフレームに収容可能である最大個数よりも少ないサブアセンブリが最初の配備中にフレームに実際に設置されることが一般的である。その結果、与えられたフレームにおける様々なサブアセンブリの位置情報は、異なる時に異なる人々によって手動で入力される可能性がある。
【００１６】
本発明は、通信アセンブリ内に収容された通信サブアセンブリを位置情報に関連付けるためのシステム及び方法を提供する。
【課題を解決するための手段】
【００１７】
実施例１は以下のものを備えるシステムを含む。上記システムは、管理エンティティと、複数の位置において複数の通信サブアセンブリを受けるように構成された通信アセンブリとを備える。上記通信アセンブリは、コントローラと、コントローラに通信可能に接続されたスイッチを備える。上記スイッチは複数のポートを含む。上記システムは、複数のケーブルを備える。各ケーブルは、上記スイッチのポートの各１つに取り付けられ、上記通信アセンブリにおける複数の位置のうちの予め決められた１つに挿入された通信サブアセンブリに各ケーブルを取り付けることができるように、上記通信アセンブリまで引き回されて取り付けられる。上記コントローラは上記管理エンティティにポートマッピング情報を伝えるように構成される。上記管理エンティティは、上記ポートマッピング情報を使用して、上記通信アセンブリに挿入された通信サブアセンブリを位置情報に関連付けるように構成される。
【００１８】
実施例２は実施例１のシステムを含み、上記通信アセンブリは光配線盤を備える。
【００１９】
実施例３は実施例１〜２のうちのいずれかのシステムを含み、上記サブアセンブリは、複数の光モジュールを収容するように構成されたシャーシを備え、各モジュールは、少なくとも１つのアダプタパックを保持するように構成された光トレーを備え、各アダプタパックは複数の光アダプタを備える。
【００２０】
実施例４は実施例１〜３のうちのいずれかのシステムを含み、上記通信アセンブリの第１の位置へ通信サブアセンブリが挿入され、かつ、上記第１の位置に関連付けられた予め決められたケーブルがシャーシに接続されたとき、上記シャーシに含まれたコントローラは、上記スイッチを介して上記管理エンティティに通信可能に接続される。
【００２１】
実施例５は実施例４のシステムを含み、上記管理エンティティは、上記通信アセンブリに挿入された上記通信サブアセンブリに自動的に問い合わせるように構成される。
【００２２】
実施例６は実施例１〜５のうちのいずれかのシステムを含み、上記管理エンティティは、上記通信アセンブリに関連付けられた位置情報を受信するように構成され、上記管理エンティティは、上記通信アセンブリに関連付けられた位置情報の少なくとも一部に対する、上記通信アセンブリに挿入された上記通信サブアセンブリの関連付けを、上記ポートマッピング情報を用いて行うように構成される。
【００２３】
実施例７は実施例１〜６のうちのいずれかのシステムを含み、上記スイッチは、上記通信アセンブリに挿入された各通信サブアセンブリに電力を供給するように構成される。
【００２４】
実施例８は実施例１〜７のうちのいずれかのシステムを含み、上記スイッチはイーサネット（登録商標）スイッチを備える。
【００２５】
実施例９は実施例１〜８のうちのいずれかのシステムを含み、上記ポートマッピング情報は、上記通信アセンブリに挿入された通信サブアセンブリに関連付けられたメディアアクセス制御（ＭＡＣ）アドレスを、上記スイッチのポートにマッピングするための情報を含む。
【００２６】
実施例１０は以下のものを備える光配線盤を含み、上記光配線盤は、複数のシャーシを挿入可能な複数の位置を定義するフレーム構造物と、上記フレーム構造物に取り付けられたフレームコントローラ装置とを備える。上記フレーム構造物は、フレームコントローラと、上記フレームコントローラに通信可能に接続されたスイッチとを備える。上記スイッチは複数のポートを含み、上記光配線盤は、複数のケーブルを備える。各ケーブルは、上記スイッチのポートの各１つに取り付けられ、上記光配線盤における複数の位置のうちの予め決められた１つに挿入されたシャーシに各ケーブルを取り付けることができるように、上記光配線盤まで引き回されて取り付けられる。上記フレームコントローラは、上記フレームコントローラに通信可能に接続される管理エンティティに、ポートマッピング情報を伝えるように構成され、これにより、上記光配線盤に挿入されたシャーシを位置情報に関連付ける際に上記管理エンティティにより使用させる。
【００２７】
実施例１１は実施例１０の光配線盤を含み、各シャーシは、複数の光モジュールを収容するように構成され、各モジュールは、少なくとも１つのアダプタパックを保持するように構成された光トレーを備え、各アダプタパックは複数の光アダプタを備える。
【００２８】
実施例１２は実施例１０〜１１のうちのいずれかの光配線盤を含み、上記光配線盤の第１の位置へシャーシが挿入され、かつ、上記第１の位置に関連付けられた予め決められたケーブルが上記シャーシに接続されたとき、上記シャーシに含まれたコントローラは、上記スイッチを介して上記管理エンティティに通信可能に接続される。
【００２９】
実施例１３は実施例１２の光配線盤を含み、上記管理エンティティは、上記光配線盤に挿入された通信シャーシに自動的に問い合わせるように構成される。
【００３０】
実施例１４は実施例１０〜１３のうちのいずれかの光配線盤を含み、上記スイッチは、上記光配線盤に挿入された各シャーシに電力を供給するように構成される。
【００３１】
実施例１５は実施例１４の光配線盤を含み、上記スイッチは、パワー・オーバー・イーサネット（ＰＯＥ）を用いて、上記光配線盤に挿入された各シャーシに電力を供給するように構成される。
【００３２】
実施例１６は実施例１０〜１５のうちのいずれかの光配線盤を含み、上記ポートマッピング情報は、上記光配線盤に挿入されたシャーシに関連付けられたメディアアクセス制御（ＭＡＣ）アドレスを、上記スイッチのポートにマッピングするための情報を含む。
【００３３】
実施例１７は実施例１０〜１６のうちのいずれかの光配線盤を含み、上記スイッチはイーサネットスイッチを備える。
【００３４】
実施例１８は以下のことを含む方法を含み、上記方法は、光配線盤におけるフレームコントローラをネットワークを介して管理エンティティへ通信可能に接続することを含む。上記光配線盤は、複数のシャーシを挿入可能な複数の位置と、フレームコントローラ装置とを備える。上記フレームコントローラ装置は、フレームコントローラと、上記フレームコントローラに通信可能に接続されたスイッチとを備える。上記スイッチは複数のポートを含む。上記光配線盤は、複数のケーブルを備える。各ケーブルは、上記スイッチのポートの各１つに取り付けられ、上記光配線盤における複数の位置のうちの予め決められた１つに挿入されたシャーシに各ケーブルを取り付けることができるように、上記光配線盤まで引き回されて取り付けられる。上記方法は、上記光配線盤の位置情報を上記管理エンティティに供給することを含む。上記方法は、上記光配線盤においてシャーシ位置のうちの１つにシャーシが設置されるとき、当該シャーシの管理ネットワークインターフェースを、当該シャーシ位置に関連付けられたスイッチの予め決められたポートに接続することと、上記シャーシの識別情報を管理エンティティへ自動的に供給することと、ＭＡＣアドレスからポートへのマッピング情報を、上記フレームコントローラから上記管理エンティティに自動的に供給することと、上記光配線盤におけるシャーシ位置へ新たに挿入されたシャーシを、位置情報に自動的に関連付けることとを含む。
【００３５】
実施例１９は実施例１８の方法を含み、上記方法は、上記光配線盤の識別情報を上記管理エンティティへ自動的に供給することをさらに含む。
【００３６】
実施例２０は実施例１８〜１９のうちのいずれかの方法を含み、上記光配線盤の位置情報を上記管理エンティティへ供給することは、上記光配線盤の位置情報を上記管理エンティティへ手動で供給することを含む。
【図面の簡単な説明】
【００３７】
【図１】図１は、通信システムの例示的な実施形態のブロック図である。
【図２】図２は、フレームに設置されたサブアセンブリを位置情報に自動的に関連付ける方法の例示的な実施形態のフローチャートである。
【発明を実施するための形態】
【００３８】
図面が例示的な実施形態のみを示し、従って、範囲を限定するようにみなされるべきではないことを理解して、例示的な実施形態は、添付の図面を用いて追加の具体性及び詳細を有して説明される。
【００３９】
習慣により、説明された様々な特徴は、一定の縮尺で描かれたものではなく、例示的な実施形態に関連する特定の特徴を強調するために描かれている。
【００４０】
図１は、より大きな通信アセンブリ１０６へ挿入される通信サブアセンブリ１３０〜１３３を位置情報に自動的に関連付けるために使用可能なシステム１００の１つの例示的な実施形態を示す。通信サブアセンブリ１３０〜１３３を挿入可能な、より大きな通信アセンブリ１０６は、サブアセンブリ１３０〜１３３を適所に物理的に保持するように構成される。アセンブリ１０６は複数のスロット又は位置を含み、サブアセンブリ１３０〜１３３のそれぞれは、アセンブリ１０６における複数の位置のうちの１つへ挿入される。各サブアセンブリ１３０〜１３３は、各種ケーブル（例えば、ＬＣ、ＳＣ、およびＭＰＯ（Multiple-Push-On）コネクタで終端された光ファイバーケーブル、又は、ＲＪ−４５コネクタで終端されたＣＡＴ−５もしくはＣＡＴ−６ツイストペアケーブルなどの銅ケーブル）間の接続を確立するために使用される。
【００４１】
図１に関してここで説明した例示的な実施形態において、アセンブリ１０６は、光配線盤（optical distribution frame）１０６（ここでは、「光配線盤」１０６又は単に「フレーム」１０６とも呼ぶ）を備える。さらに、この例示的な実施形態において、サブアセンブリ１３０〜１３３は、（例えば、４ＲＵ（Rack Unit）のサイズを有するシャーシに）複数の光ファイバーモジュール１５０〜１５３を保持するように構成されるシャーシ１３０〜１３３を備える。サブアセンブリ１３０〜１３３は、ここでは、「シャーシ」１３０〜１３３とも呼ばれる。光配線盤１０６は、複数の位置を有するように構成されたフレーム構造物１０７を備え、シャーシ１３０〜１３３は、複数の位置のそれぞれに挿入可能である。説明の簡単化のために、フレーム１０６は、最大で４つまでのシャーシ１３０〜１３３を収容するように構成されたものとして図１に示され、また、各シャーシ１３０〜１３３は、最大で２つまでの光ファイバーモジュール１５０〜１５３を収容するように構成されたものとして示されている。しかしながら、フレーム１０６は任意個数のシャーシ１３０〜１３３を収容するように構成されることが可能であり、各シャーシ１３０〜１３３は任意個数の光ファイバーモジュール１５０〜１５３を収容するように構成されることが可能であるということは、理解されるべきである。
【００４２】
各光学モジュール１５０〜１５３は、少なくとも１組の複数アダプタのパック１７０〜１７３を保持するように構成された光トレーとして実装される。各アダプタパック１７０〜１７３は複数の光アダプタ１８０〜１８３を備え、ここで、光アダプタ１８０〜１８３のそれぞれは、光コネクタ（例えば、ＬＣ、ＳＣ、又はマルチファイバ・プッシュ・オン（Multi-fiber Push On：ＭＰＯ）コネクタ）で終端された光ケーブル（図示せず）に、対応する光コネクタで終端された他の光ケーブル（図示せず）を光学的に接続するように構成されている。再び図１において、説明の簡単化のために、各モジュール１５０〜１５３は２つのアダプタパック１７０〜１７３を保持するものとして示され、各アダプタパック１７０〜１７３は、最大で２つまでのアダプタ１８１を保持するものとして図１に示される。しかしながら、各モジュール１５０〜１５３は任意個数のアダプタパック１７０〜１７３を保持するように構成されることが可能であり、各アダプタパック１７０〜１７３は任意個数の光アダプタ１８０〜１８３を保持するように構成されることが可能であるということは、理解されるべきである。さらに、ここで説明した技術は、例えば、複数のケーブル又はケーブル束（例えば、ＭＰＯ、スプリッタ、又はカセット式装置など）に接続するために単一のケーブル（あるいは単一のケーブル束）が分割されているものを含む、他のタイプの接続装置に使用可能であるということは、理解されるべきである。
【００４３】
図１に関して本明細書で説明した例示的な実施形態において、コネクタのそれぞれは、コネクタ又はケーブルに関する情報（例えば、シリアル番号又は他の識別子及び構成及びモデルのような、ケーブル又はコネクタの識別情報）を集めるために使用される、各不揮発性記憶装置（ＥＥＰＲＯＭなど）を含む。各モジュール１５０〜１５３は各モジュールコントローラ１６０〜１６３を含む。各モジュール１５０〜１５３及び対応するアダプタパック１７０〜１７３及び光アダプタ１８０〜１８３は、そのモジュール１５０〜１５３のためのモジュールコントローラ１６０〜１６３が、各光アダプタ１８０〜１８３へコネクタが挿入されているか否かを決定することができるように、かつ、その挿入されたコネクタ（１つ存在する場合）に関連付けられた記憶装置を読み出すことができるように、構成される。例えば、各光アダプタ１８０〜１８３は１つ以上の接点又は端子を含み、これらの接点又は端子は、アダプタ１８０〜１８３へ挿入される任意のコネクタ上の対応する接点又は端子と電気的に接触する。ここで、そのような接点又は端子は、モジュールコントローラ１６０〜１６３が、各光アダプタ１８０〜１８３へコネクタが挿入されているか否かを決定することができるように、かつ、そのようなコネクタ（もしあれば）に取り付けられた記憶装置から情報を読み出すことができるように、そのコネクタのための記憶装置を対応するモジュールコントローラ１６０〜１６３へ電気的に接続するために使用される。いくつかのアプリケーションにおいて、記憶装置から読み出されたデータは、フレーム１０６において確立された接続を追跡するために使用される。いくつかのアプリケーションにおいて、そのような記憶装置を含むコネクタは使用されず、代わりに、接続の追跡は、各アダプタ又はポートにコネクタが挿入されているか否かを決定する機能を用いて接続を推測することで行われる。いくつかのアプリケーションにおいて、前述のアプローチの組み合わせが使用される。
【００４４】
そのようなシャーシ１３０〜１３３、モジュール１５０〜１５３、アダプタパック１７０〜１７３、及び光アダプタ１８０〜１８３の例は、すべて本願と同日に出願された、特許文献１〜４の米国仮特許出願で説明されている。２０１３年２月５日に出願された「管理された接続性を有する光アセンブリ（Optical Assemblies with Managed Connectivity）」の名称を有する特許文献１、２０１３年２月５日に出願された「管理された接続性を有する光アセンブリ（Optical Assemblies with Managed Connectivity）」の名称を有する特許文献２、２０１３年２月５日に出願された「管理された接続性を有する光アセンブリ（Optical Assemblies with Managed Connectivity）」の名称を有する特許文献３、及び、２０１３年２月５日に出願された「ケーブルスラック管理を行うスライド可能な電気通信トレー（Slidable Telecommunications Tray with Cable Slack Management）」の名称を有する特許文献４。上述の出願のすべては、参照によって本明細書に組み込まれる。
【００４５】
図１に示す例示的な実施形態において、各シャーシ１３０〜１３３は各マスターコントローラ１４０〜１４３を含み、各マスターコントローラ１４０〜１４３は、そのシャーシ１３０〜１３３に含まれている各モジュール１５０〜１５３のためのモジュールコントローラ１６０〜１６３に（例えば、各フレックス回路の相互接続を使用して）電気的に接続されている。この例示的な実施形態では、マスターコントローラ１４０〜１４３及びその関連付けられたモジュールコントローラ１６０〜１６３は、互いに通信するためにマスタースレーブ方式を使用するように構成される。そのような方式において、マスターコントローラ１４０〜１４３は「マスター」として動作し、モジュールコントローラ１６０〜１６３のそれぞれは「スレーブ」として動作する。例えば、そのような方式の１つの実装において、各モジュールコントローラ１６０〜１６３は、そのモジュールコントローラ１６０〜１６３に関連付けられた光アダプタ１８０〜１８３へコネクタがいつ挿入されるかを決定し、及びそのコネクタに取り付けられたか、さもなければ関連付けられた記憶装置から情報を読み出す。関連付けられたマスターコントローラ１４０〜１４３によってそうするように促されたとき、各モジュールコントローラ１６０〜１６３は、そのモジュールコントローラ１６０〜１６３に関連付けられた光アダプタ１８０〜１８３のうちのいずれかに係る何らかの状態変化（例えば、光アダプタ１８０〜１８３にコネクタが挿入されたか、又は除去されたか）について、マスターコントローラ１４０〜１４３に通知し、そのモジュールコントローラ１４０〜１４３に関連付けられた光アダプタ１８０〜１８３に挿入された記憶装置から読み出された情報をマスターコントローラ１４０〜１４３に転送する。
【００４６】
図１に示す例示的な実施形態では、各シャーシ１３０〜１３３は少なくとも１つの管理ネットワークインターフェース１９０〜１９３を含み、管理ネットワークインターフェース１９０〜１９３は、後述のＰＬＭ情報を管理エンティティ１０２に伝えるために使用されるＩＰネットワーク１１０へ、マスターコントローラ１４０〜１４３を接続するために使用可能である。そのような実施形態の例示的な実装では、各シャーシ１３０〜１３３のための管理ネットワークインターフェース１９０〜１９３は、イーサネットのネットワークインターフェース（及び関連付けられたＲＪ−４５ポート）を用いて実装され、これにより、対応するマスターコントローラ１４０〜１４３は、ＣＡＴ−５又はＣＡＴ−６ツイストペア銅ケーブルを用いてＩＰネットワーク１１０に接続可能になる。しかしながら、他の方法で管理ネットワークインターフェース１９０〜１９３を実装可能であることは理解されるべきである。
【００４７】
説明の簡単化のために、ＩＰネットワーク１１０が別個の雲の記号を用いて示されていることに注意するが、ＰＬＭ情報が伝達されるＩＰネットワーク１１０の一部を実装するために、ここに説明したフレーム１０６、シャーシ１３０〜１３３、及びケーブルを使用可能であることは、理解されるべきである。代替として、ＰＬＭ情報が伝達されるＩＰネットワーク１１０は、フレーム１０６、シャーシ１３０〜１３３、及びケーブルが一部分となるネットワークから分離されたままであってもよい。
【００４８】
管理エンティティ１０２は、典型的には、ＩＰネットワーク１１０に接続されたコンピュータ上で動作するソフトウェアとして実装される。管理エンティティ１０２は、ネットワークにおける物理層を実装するために使用される様々な装置及びメディア（シャーシ１３０〜１３３及びフレーム１０６、及びそこへの接続を確立するケーブル及びコネクタを含むが、これらに限定されない）に関連する情報を受信するように構成される。管理エンティティ１０２に伝達される物理層情報（physical layer information：ＰＬＩ）は、ネットワーク中の様々な装置に関する情報（ここでは「装置情報」とも呼ぶ）を含み、また、それらの装置のポートに取り付けられた物理通信メディアの任意のセグメントに関する情報（ここでは「メディア情報」とも呼ぶ）を含む。装置情報は、例えば、各装置の識別子、装置のタイプを識別するタイプ識別子、及び装置のポートに関する情報を含むポート情報を含む。メディア情報は、物理通信メディアの様々なセグメントに取り付けられている記憶装置から読み出される情報を含む。
【００４９】
そのような記憶装置に格納することができるメディア情報の例は、物理通信メディアのその特定のセグメントを一意的に識別する識別子（イーサネットのメディアアクセス制御（ＭＡＣ）アドレスに類似しているが、物理通信メディアに、及び／又は、物理通信メディアへ取り付けられたコネクタに関連付けられたもの）、部品番号、プラグ又は他のコネクタのタイプ、ケーブル又はファイバのタイプ及び長さ、シリアル番号、ケーブル極性、製造の日付、製造ロット番号、物理通信メディアの、又は物理通信メディアに取り付けられたコネクタの１つ以上の視覚的属性に関する情報（物理通信メディア又はコネクタの色もしくは形状、又は物理通信メディア又はコネクタの画像に関する情報など）、及び、企業資源計画（Enterprise Resource Planning：ＥＲＰ）システム又は在庫管理システムによって使用される他の情報を含むが、これらに限定されない。他の実施形態では、代替又は追加のデータがそのような記憶装置に格納される。例えば、テスト、メディア品質、又は性能情報がそのような記憶装置に格納されることが可能である。テスト、メディア品質、又は性能情報は、例えば、メディアの特定のセグメントが製造されるか設置されるときに行われるテストの結果であってもよい。
【００５０】
管理エンティティ１０２に供給される情報は、さらに、（例えば、管理エンティティ１０２によって実装されるウェブインターフェース又はモバイルアプリケーションを用いて）手動で入力される情報を含むことも可能である。
【００５１】
管理エンティティ１０２は、それに供給された情報を格納するためのデータベース又は他のデータ記憶装置（図示せず）を含んでいるか、又は使用する。管理エンティティ１０２は、管理エンティティ１０２によって保持された物理層情報にアクセスするための外部装置又はエンティティのためのインターフェースを提供する機能をさらに含む。このアクセスは、管理エンティティ１０２から情報を検索することと、管理エンティティ１０２へ情報を供給することとを含むことが可能である。この例では、管理エンティティ１０２は、管理エンティティ１０２によって保持された情報への透明かつ便利なアクセスをそのような外部装置及びエンティティに提供することができる「ミドルウェア」として実装される。管理エンティティ１０２は、ネットワーク中の関連する装置から情報を集めて、そのような情報へのアクセスを外部装置及びエンティティに提供するので、外部装置及びエンティティは、管理エンティティ１０２へ情報を供給するネットワーク中の装置のすべてと個別に対話する必要はなく、また、そのような装置は、そのような外部装置及びエンティティからの要求に応答する能力を有する必要もない。
【００５２】
この例では、管理エンティティ１０２は所定のアプリケーションプログラミングインターフェース（ＡＰＩ）を実装し、このＡＰＩによって、アプリケーション層機能は、当該ＡＰＩの記述及び文書化を行うソフトウェア開発キット（software development kit：ＳＤＫ）を用いて、管理エンティティ１０２によって保持された物理層情報へのアクセスを得ることができる。
【００５３】
物理層情報及び集約点１５２に関するさらなる情報は、２００９年２月１３日に出願された「管理された接続性のシステム及び方法（MANAGED CONNECTIVITY SYSTEMS AND METHODS）」の名称を有する特許文献５、及び、２０１０年２月１２日に出願された「ネットワークに関連した物理層情報の集約（AGGREGATION OF PHYSICAL LAYER INFORMATION RELATED TO A NETWORK）」の名称を有する特許文献６で見つけることができる。これらの両方は参照によってここに組み込まれる。
【００５４】
図１に示す例示的な実施形態において、各シャーシ１３０〜１３３におけるマスターコントローラ１４０〜１４３は、モジュールコントローラ１８０〜１８３に加えて、シャーシ１３０〜１３３の構成要素（例えば、シャーシ１３０〜１３３自体の本体に組み込まれた任意のボタン（あるいは他の入力構成要素）及び任意の発光ダイオード（ＬＥＤ）（あるいは他の視覚的インジケータ））の動作と対話するように、モニタリングするように、及び／又は制御するように構成される。さらに、各シャーシ１３０〜１３３におけるマスターコントローラ１４０〜１４３は、ＩＰネットワーク１１０を介して外部エンティティと対話するように構成される。例えば、各マスターコントローラ１４０〜１４３は、ＩＰアドレス（例えば、マスターコントローラ１４０〜１４３によって実装されるウェブ又はモバイルのアプリケーションインターフェースを介してマスターコントローラ１４０〜１４３に手動で割り当てられる静的なＩＰアドレス、又はＩＰネットワーク１１０のための動的ホスト構成プロトコル（Dynamic Host control Protocol：ＤＨＣＰ）サーバを介してモジュールコントローラ１４０〜１４３に割り当てられる動的ＩＰアドレス）をマスターコントローラ１４０〜１４３が取得するための適切な機能及びプロトコルを実装するように構成される。さらに、各マスターコントローラ１４０〜１４３は、マスターコントローラ１４０〜１４３が管理エンティティ１０２によって発見されるための、また、マスターコントローラ１４０〜１４３が管理エンティティ１０２を発見するための適切な機能及びプロトコルを実装するように構成される。この管理エンティティ１０２の発見及び管理エンティティ１０２による発見は、手動で（例えば、マスターコントローラ１４０〜１４３のアドレスを管理エンティティ１０２に手動で供給することによって、また、例えば、マスターコントローラ１４０〜１４３及び管理エンティティ１０２によって実装されたウェブ又はモバイルのアプリケーションインターフェースを用いて、管理エンティティ１０２のアドレスをマスターコントローラ１４０〜１４３に手動で供給することによって）実行可能であり、又は、自動的に（例えば、ユニバーサルプラグアンドプレイ（ＵＰｎＰ）発見プロトコルのような適切な発見プロトコルを用いて）実行可能である。
【００５５】
図１に示す例示的な実施形態において、フレーム１０６は、フレームを実装する構造物に取り付けられているフレームコントローラ装置１０８を含む。例えば、そのような実施形態の１つの実装において、フレームコントローラ装置１０８はそのような構造物の上部に取り付けられている。他の実装において、フレームコントローラ装置１０８は、フレーム１０６におけるどこか他のところ（例えばフレーム構造物の下部）に設けられる。
【００５６】
この実施形態において、フレームコントローラ装置１０８は、フレームコントローラ１１８及びイーサネットスイッチ１１９を含む。フレームコントローラ１１８は、フレームコントローラ装置１０８の構成要素（例えば、イーサネットスイッチ１１９に加えて、フレームコントローラ装置１０８に組み込まれた任意のボタン（あるいは他の入力構成要素）及び任意の発光ダイオード（ＬＥＤ）（あるいは他の視覚的インジケータ））及びフレーム１０６（例えば、フレーム１０６自体に取り付けられた任意のＬＥＤ）の動作と対話するように、モニタリングするように、及び／又は制御するように構成される。さらに、フレームコントローラ１１８は、ＩＰネットワーク１１０を介して外部エンティティと対話するように構成される。例えば、フレームコントローラ１１８は、ＩＰアドレス（例えば、フレームコントローラ１１８によって実装されるウェブ又はモバイルのアプリケーションインターフェースを介してフレームコントローラ１１８に手動で割り当てられる静的なＩＰアドレス、又はＩＰネットワーク１１０のためのＤＨＣＰサーバを介してフレームコントローラ１１８に割り当てられる動的ＩＰアドレス）をフレームコントローラ１１８が取得するための適切な機能及びプロトコルを実装するように構成される。さらに、フレームコントローラ１１８は、フレームコントローラ１１８が管理エンティティ１０２によって発見されるための、また、フレームコントローラ１１８が管理エンティティ１０２を発見するための適切な機能及びプロトコルを実装するように構成される。この管理エンティティ１０２の発見及び管理エンティティ１０２による発見は、手動で（例えば、フレームコントローラ１１８のアドレスを管理エンティティ１０２に手動で供給することによって、また、例えば、フレームコントローラ及び管理エンティティ１０２によって実装されたウェブ又はモバイルのアプリケーションインターフェースを用いて、管理エンティティ１０２のアドレスをフレームコントローラ１１８に手動で供給することによって）実行可能であり、又は、自動的に（例えば、ＵＰｎＰ発見プロトコルのような適切な発見プロトコルを用いて）実行可能である。
【００５７】
イーサネットスイッチ１１９は、２組のポート１１５及び１１７を含む。１組のポート１１５は、フレーム１０６の通常動作に関してイーサネットケーブルが容易に挿抜可能である標準的なイーサネットポートである。これらのポート１１５は、ここでは「標準ポート」１１５とも呼ばれる。図１に示す例示的な実施形態において、イーサネットスイッチ１１９は２つの標準ポート１１５を含み、そのうちの１つは、イーサネットスイッチ１１９（及びスイッチ１１９の他のポート１１５及び１１７に接続された他の装置）をＩＰネットワーク１１０に接続するために使用される。この標準ポート１１５は、ここでは「上流ポート」１１５とも呼ばれる。他の標準ポート１１５は、例えば、無線アクセスポイント１１２をＩＰネットワーク１０２へ接続するために、又は、２つ以上のフレーム１０６（及びそこに関連付けられたフレームコントローラ１１８）をともに（例えば以下でさらに詳細に説明するように）デイジーチェーン接続するために使用可能である予備ポート１１５である。
【００５８】
イーサネットスイッチ１１９は２組目のポート１１７も含み、これらのポート１１７は、当該ポート１１７に挿入されたイーサネットケーブルがフレーム１０６の通常動作に関してポート１１７から容易に除去できないように構成される。以下の説明において、これらのポート１１７は、ここでは「固定ポート」１１７とも呼ばれる。これは適切なコネクタ又は取り付け機構を用いて実施可能である。
【００５９】
固定ポート１１７のそれぞれについて、イーサネットケーブル１２０〜１２３はその固定ポート１１７へ挿入され、当該固定ポート１１７は、フレーム１０６における１つの特定の位置において挿入されるシャーシ１３０〜１３３の管理ネットワークインターフェース１９０〜１９３へ挿入されるように構成され、また、フレーム１０６における他の位置のいずれかに挿入されたシャーシ１３０〜１３３の管理ネットワークインターフェース１９０〜１９３へケーブル１２０〜１２３を挿入することができないように構成される。これは、例えば、フレーム１０６におけるただ１つの予め決められたシャーシ位置に挿入されたシャーシ１３０〜１３３の管理ネットワークインターフェース１９０〜１９３に物理的に到達でき、フレーム１０６における他のシャーシ位置に挿入されたシャーシ１３０〜１３３の管理ネットワークインターフェース１９０〜１９３に物理的に到達できなくなるのに十分なだけのたるみが、そのイーサネットケーブル１２０〜１２３のシャーシ側終端に存在するように、各イーサネットケーブル１２０〜１２３をフレーム１０６へ引き回して取り付けることで実施可能である。
【００６０】
このように、フレーム１０６における固定ポート１１７のそれぞれと特定のシャーシ位置との関係が保持される。この関係は、その固定ポート１１７に直接的に接続された任意のシャーシ１３０〜１３３に、その特定のフレーム１０６におけるその特定のシャーシ位置を関連付けるために使用可能である。この関係は、フレーム１０６に挿入されたシャーシ１３０〜１３３を位置情報に自動的に関連付けるために使用可能である。シャーシ１３０〜１３３のこの位置情報は、例えば、フレーム１０６の場所と、シャーシ１３０〜１３３が挿入されるフレーム１０６内のシャーシ位置とを含む。管理エンティティ１０２はこれを実施可能である。さらに、これは、フレームコントローラ１１８によっても実施可能である。
【００６１】
フレームコントローラ１１８は、ＩＰネットワーク１１０を介して管理エンティティ１０２と通信できるように、イーサネットスイッチ１１９に通信可能に接続される。さらに、以下でより詳細に説明するように、フレームコントローラ１１８は、スイッチ１１９のポート１１５及び１１７のそれぞれを、そのスイッチポートを介してアクセスされることが可能であるＭＡＣアドレスにマッピングする情報を、（例えば、イーサネットスイッチ１１９における自動変換装置（automatic translation unit：ＡＴＵ）又はルックアップエンジンによって保持されるポートマップテーブルを検索することにより）イーサネットスイッチ１１９から検索するように構成される。
【００６２】
図１に示す例示的な実施形態において、電力は、パワー・オーバー・イーサネット（Power over Ethernet：ＰＯＥ）を用いて、シャーシ１３０〜１３３（及びそこに含まれたモジュール１５０〜１５３）の能動構成要素に供給されることが可能である。この実施形態において、イーサネットスイッチ１１９は、予備ポート１１５及び１１７を介してＰＯＥ電力の供給源となるように構成され、そうするために４８ボルトの直流（ＤＣ）電源１１４に接続される。この４８ＶのＤＣ電力は、フレーム１０６の能動構成要素（フレーム１０６に取り付けられたフレームコントローラ装置１０８及び任意のＬＥＤを含む）に電力を供給するために使用可能である。しかしながら、他の方法で電力が供給されてもよいことは理解されるべきである。
【００６３】
予備ポート１１５は、複数のフレーム１０６（及び関連付けられたフレームコントローラ装置１０８）をデイジーチェーン構成で接続するために使用可能である。そのような構成において、第１のフレーム１０６のための上流ポート１１５は、ＩＰネットワーク１１０に直接的に接続されている（すなわち、さらに１つのフレーム１０６を介してＩＰネットワーク１１０に接続されるのではない）。第２のフレーム１０６の上流のポート１１５は第１のフレーム１０６の予備ポート１１５に接続され、第３のフレーム１０６の上流のポート１１５は第２のフレーム１０６の予備ポート１１５に接続され、以下同様に続く。デイジーチェーンにおける最後のフレーム１０６の予備ポート１１５は、デイジーチェーンを実装するために使用されず、他の目的（例えば、無線アクセスポイント１１５をＩＰネットワーク１１０に接続するため）に使用可能である。フレーム１０６に挿入されたシャーシ１３０〜１３３を位置情報に自動的に関連付けるための技術は、そのようなデイジーチェーン構成とともに使用可能である。
【００６４】
図２は、フレーム（又は複数の通信サブアセンブリを挿入可能である同様のアセンブリ）へ挿入される通信サブアセンブリ（シャーシなど）を位置情報に関連付ける方法２００の１つの例示的な実施形態のフロー図である。図２に示す例示的な実施形態は、他の実施形態を他の方法で実装可能であることは理解されるべきであるが、ここでは、図１に示すシステム１００を用いて実装されるように説明される。
【００６５】
方法２００は、フレーム１０６におけるフレームコントローラ１１８を管理エンティティ１０２へ通信可能に接続すること（ブロック２０２）を含む。１つの一般的な使用法のシナリオにおいて、フレーム１０６は、企業の機器室もしくはデータセンター、又は電気通信サービスプロバイダの中央局に設置される。この例では、フレームコントローラ１１８は、フレームコントローラ装置１０８に含まれたイーサネットスイッチ１１９の標準ポート１１５のうちの１つを適切なケーブル（例えばＣＡＴ−５又はＣＡＴ−６ケーブル）を用いてＩＰネットワーク１１０へ接続することによって、ＩＰネットワーク１１０に接続されている。その後、上述したように、フレームコントローラ１１８はＩＰアドレスを（手動又は自動のいずれかで、後者では例えばＤＨＣＰを用いて）取得し、管理エンティティ１０２を発見し、管理エンティティ１０２によって発見される（再び手動又は自動のいずれかで発見し／発見され、後者ではＵＰｎＰを用いる）。
【００６６】
方法２００は、フレーム１０６の識別情報を管理エンティティ１０２へ自動的に供給すること（ブロック２０４）をさらに含む。この例示において、管理エンティティ１０２は、フレーム１０６の識別情報（例えば、シリアル番号及び／又はフレーム１０６に割り当てられた他の識別子及び／又はフレーム１０６の構成及びモデル情報）を、ＩＰネットワーク１１０を用いてフレームコントローラ１１８にそのような情報について問い合わせることで自動的に取得する。ここでは、識別情報は管理エンティティ１０２に自動的に供給されるように説明されるが、そのような情報が手動で供給されてもよいことは理解されるべきである。また、管理エンティティ１０２に供給される情報の一部として、固定ポート１１７のどれにフレーム１０６におけるどのシャーシ位置が関連付けられているか識別する情報は、管理エンティティ１０２にさらに供給されてもよい。
【００６７】
方法２００は、フレーム１０６の位置情報を管理エンティティ１０２へ供給すること（ブロック２０６）をさらに含む。この例では、フレーム１０６の位置情報は、（例えば、管理エンティティ１０２によって実装されたウェブ又はモバイルのアプリケーションインターフェースを用いて）手動で入力されて管理エンティティ１０２に供給される。この位置情報は、例えば、フレーム１０６の物理的位置を特定する情報（例えば、ＧＰＳ座標、フレーム１０６が設置された建物の住所、及び／又は、フレーム１０６が設置されている階、部屋、及び／又は列の数もしくは他の識別子）を含むことができる。この位置情報は任意の適切な方法で（例えば、絶対及び／又は相対座標又はアドレスを用いて）指定することができる。
【００６８】
方法２００は、シャーシ１３０〜１３３がフレーム１０６においてシャーシ位置のうちの１つに設置されたとき（ブロック２０８）、そのシャーシ１３０〜１３３の管理ネットワークインターフェース１９０〜１９３を、そのシャーシ位置が関連付けられたイーサネットスイッチ１１９の予め決められた固定ポート１１７に接続すること（ブロック２１０）をさらに含む。この例では、マスターコントローラ１４０〜１４３は、ＩＰアドレスを（手動又は自動のいずれかで、後者では例えばＤＨＣＰを用いて）取得し、管理エンティティ１０２を発見し、管理エンティティ１０２によって発見される（再び手動又は自動のいずれかで発見し／発見され、後者ではＵＰｎＰを用いる）。
【００６９】
方法２００は、フレーム１０６へ挿入されているシャーシ１３０〜１３３に関して、シャーシ１３０〜１３３の識別情報を管理エンティティ１０２に自動的に供給すること（ブロック２１２）をさらに含む。この例では、管理エンティティ１０２は、シャーシ１３０〜１３３の識別情報（シャーシ１３０〜１３３と、シャーシ１３０〜１３３内に収容されたモジュール１５０〜１５３、アダプタパック１７０〜１７３、及びアダプタ１８０〜１８３と、それに取り付けられた任意のコネクタ又はケーブルとに割り当てられたシリアル番号及び／又は他の識別子、及び／又は、上述のもののうちのいずれかの構成及びモデル情報）を、ＩＰネットワーク１１０を用いてそのシャーシ１３０〜１３３のマスターコントローラ１４０〜１４３にそのような情報について問い合わせることで自動的に取得する。さらに、この例では、管理ネットワークインターフェース１９０〜１９３が関連付けられたメディアアクセス制御（ＭＡＣ）アドレスもまた、管理エンティティ１０２に伝達される。
【００７０】
方法２００は、ＭＡＣアドレスからポートへのマッピング情報をフレームコントローラ１１８から管理エンティティ１０２に自動的に供給すること（ブロック２１４）をさらに含む。この例では、フレームコントローラ１１８は、ＭＡＣアドレスからポートへのマッピング情報を見つけるために、スイッチ１１９におけるＡＴＵ又はルックアップエンジンによって保持されたルーティングテーブルを読み出す。このＭＡＣアドレスからポートへのマッピング情報は、ＩＰネットワーク１１０を介して管理エンティティ１０２に供給される。
【００７１】
方法２００は、フレーム１０６におけるシャーシ位置へ新たに挿入されたシャーシ１３０〜１３３を位置情報に自動的に関連付けること（ブロック２１６）をさらに含む。この例では、管理エンティティ１０２は、これを実行するために、そのシャーシ１３０〜１３３の管理ネットワークインターフェース１９０〜１９３のＭＡＣアドレスを用いて、シャーシ１３０〜１３３がどのフレーム１０６に（及びそのフレーム１０６内のどのシャーシ位置へ）挿入されるのかを決定する。シャーシ１３０〜１３３が挿入されるフレーム１０６は、管理ネットワークインターフェース１９０〜１９３のＭＡＣアドレスを含む、ＭＡＣアドレスからポートへのマッピング情報を有するものである。その後、管理エンティティ１０２は、（ブロック２０６に関して手動で入力された）そのフレーム１０６の位置情報に、そのシャーシ１３０〜１３３（及び、そのシャーシ１３０〜１３３におけるモジュール１５０〜１５３、アダプタパック１７０〜１７３、及びアダプタ１８０〜１８３、及びそれに取り付けられた任意のコネクタ又はケーブル）を関連付ける。さらに、管理エンティティ１０２は、そのシャーシ１３０１〜１３３の管理ネットワークインターフェース１９０〜１９３のＭＡＣアドレスと、ＭＡＣアドレスからポートへのマッピング情報とを用いて、そのシャーシ１３０〜１３３がどの固定ポート１１７に接続されているかを決定することによって、そのフレーム１０６内のシャーシ位置を決定する。
【００７２】
このように、位置情報は、シャーシ１３０〜１３３によって自動的に（すなわち、そのような位置情報を手動で入力する必要なく）関連付けられることが可能である。これは、フレーム１０６が最初に配備されるときにシャーシ位置のすべてがシャーシ１３０〜１３３で充填されていない場合に、シャーシ１３０〜１３３がフレーム１０６へ挿入されるごとに必要になる手動のデータ入力ステップを除去し、また、そのような情報が異なる時に異なる人々によって手動で入力される必要性を除去する。
【００７３】
多くの実施形態が説明された。しかしながら、請求項に記載された発明の趣旨及び範囲から外れずに、説明された実施形態への様々な修正が行われてもよいことは理解されるだろう。さらに、ここで開示された本発明の範囲内で、上述の実施形態の個々の特徴の組み合わせが考慮される。
【図１】
2016515314.tif 000003
【図２】
2016515314.tif 000004
【国際調査報告】
2016515314.tif 000005
2016515314.tif 000006
2016515314.tif 000007